(57)【特許請求の範囲】
【請求項１】
バルーンと、
一方側の端部である第１基端部と、他方側の端部である第１先端部とを含み、前記第１先端部に前記バルーンが接続された第１シャフトと、
前記第１シャフトの周壁に形成された周壁穴から、前記第１シャフトの内腔を通って前記第１先端部に向けて延び、ガイドワイヤが挿通されるチューブと、
一方側の端部である第２基端部と、他方側の端部である第２先端部とを含み、前記第２先端部が前記第１シャフトの前記第１基端部から前記内腔に進入し、前記第２先端部が、前記周壁穴よりも前記第１先端部側に配置される第２シャフトと
を備え、
前記第１シャフトの内面のうち前記第１先端部に、前記第２シャフトの外面のうち前記第２先端部が接合し、
前記第２シャフトの剛性が、前記第１シャフトの前記第１基端部と同じ位置から前記第２先端部に向かうに従って小さくなることを特徴とするバルーンカテーテル。
【発明の詳細な説明】
【技術分野】
【０００１】
本発明はバルーンカテーテルに関する。
【背景技術】
【０００２】
血管内の狭窄した箇所を拡張する治療に使用されるバルーンカテーテルが知られている。特許文献１は、ディスタルシャフト、ハイポチューブ、及び、コアワイヤを有する、迅速交換式のバルーンカテーテルを開示する。ディスタルシャフトは、可撓性を有する。ディスタルシャフトは、先端部にバルーンを有し、内腔にガイドワイヤセグメントを有する。ハイポチューブは、剛性を有する。ハイポチューブは、ディスタルシャフトの基端部に接続される。コアワイヤは、ディスタルシャフトとハイポチューブとの間に亘って配置される。コアワイヤは、ディスタルシャフトとハイポチューブとの間の急激な剛性変化を緩和する。
【先行技術文献】
【特許文献】
【０００３】
【特許文献１】特開２００３−１６４５２８号公報
【発明の概要】
【発明が解決しようとする課題】
【０００４】
上記のバルーンカテーテルの場合、ディスタルシャフトに対してコアワイヤが固定されていないので、血管内にハイポチューブが押し込まれるときの力を、ディスタルシャフトの先端部に効率的に伝達させることができない可能性がある。このため、血管内をバルーンが移動した場合に、移動方向と反対方向の力がバルーンに作用することによってディスタルシャフトが歪んでしまう場合がある。この場合、血管内の狭窄した位置までバルーンを移動させることができない場合があるという問題点がある。
【０００５】
本発明の目的は、所望する位置までバルーンを移動させることが可能な、迅速交換式のバルーンカテーテルを提供することである。
【課題を解決するための手段】
【０００６】
本発明のバルーンカテーテルは、バルーンと、一方側の端部である第１基端部と、他方側の端部である第１先端部とを含み、前記第１先端部に前記バルーンが接続された第１シャフトと、前記第１シャフトの周壁に形成された周壁穴から、前記第１シャフトの内腔を通って前記第１先端部に向けて延び、ガイドワイヤが挿通されるチューブと、一方側の端部である第２基端部と、他方側の端部である第２先端部とを含み、前記第２先端部が前記第１シャフトの前記第１基端部から前記内腔に進入し、前記第２先端部が、前記周壁穴よりも前記第１先端部側に配置される第２シャフトとを備え、前記第１シャフトの内面のうち前記第１先端部に、前記第２シャフトの外面のうち前記第２先端部が接合し、前記第２シャフトの剛性が、前記第１シャフトの前記第１基端部と同じ位置から前記第２先端部に向かうに従って小さくなることを特徴とする。
【０００７】
上記のバルーンカテーテルの場合、第１シャフトの内面のうち周壁穴よりも第１先端部側に、第２シャフトが接合される。このため、バルーンカテーテルは、第２シャフトが血管内に押し込まれたときの力を、第１シャフトの第１先端部側の部分に適切に伝達させることができる。このため、バルーンが血管内を移動する場合において、移動方向と反対方向の力がバルーンに作用した場合でも、第１シャフトの第１先端部側の部分に移動方向の力を作用させることによって、第１シャフトが歪むことを抑制できる。従って、バルーンカテーテルは、血管内の狭窄した位置までバルーンを適切に移動させることが可能となる。又、バルーンカテーテルは、延伸方向の急激な剛性変化を軽減できる。
【０００８】
【０００９】
【００１０】
【００１１】
【図面の簡単な説明】
【００１２】
【図１】バルーンカテーテル１の側面図である。
【図２】バルーンカテーテル１の周壁穴４１の近傍を拡大した平面図である。
【図３】バルーンカテーテル１の周壁穴４１の近傍を拡大した断面図である。
【図４】第１変形例におけるバルーンカテーテル１Ａの周壁穴４１の近傍を拡大した側面図である。
【図５】第２変形例におけるバルーンカテーテル１Ｂの周壁穴４１の近傍を拡大した側面図である。
【図６】第３変形例におけるバルーンカテーテル１Ｃの側面図である。
【発明を実施するための形態】
【００１３】
本発明の一実施形態について、図面を参照して説明する。図１に示すように、バルーンカテーテル１は、所謂、迅速交換型（ＲＸ（Ｒａｐｉｄ  ｅＸｃｈａｎｇｅ）型）のカテーテルである。バルーンカテーテル１は、第１シャフト２、第２シャフト３、チューブ４、及び、バルーン５を有する。なお、第１シャフト２は、ディスタルシャフト等と呼ばれる場合がある。第２シャフト３は、プロキシマルシャフト等と呼ばれる場合がある。チューブ４の内腔は、（ガイドワイヤ用）ルーメン等と呼ばれる場合がある。以下、それぞれの詳細について説明する。なお、本発明の各部位は、上記の通称（ディスタルシャフト、プロキシマルシャフト、ルーメン）によって一般的に規定される部位に限定されない。以下、バルーンカテーテル１に沿って延びる方向を、「延伸方向」という。バルーンカテーテル１の延伸方向の両側のうち、バルーン５が設けられる側を、「先端側」といい、先端側と反対側を、「基端側」という。図１の左側が先端側に対応し、右側が基端側に対応する。延伸方向と直交する方向において、バルーンカテーテル１の断面中心に近接する側を「内側」といい、バルーンカテーテル１の断面中心から離隔する側を「外側」という。
【００１４】
＜第１シャフト２＞
図１に示すように、第１シャフト２は、管状の部材である。第１シャフト２は可撓性を有する。第１シャフト２は、ポリアミド系樹脂により形成される。第１シャフト２は、延伸方向に延びる。第１シャフト２の内径は、延伸方向の全域に亘って略同一である。第１シャフト２は、周壁の内側の面である内面２１Ａで囲まれた空間を有する。以下、内面２１Ａで囲まれた空間を、「内腔２１１」という。第１シャフト２の延伸方向の両端部のうち、基端側の開口端部を、「第１基端部２Ａ」といい、先端側の開口端部を、「第１先端部２Ｂ」という。
【００１５】
上記において、第１シャフト２の材料は、ポリアミド系樹脂に限定されず、可撓性を有する他の材料に変更可能である。例えば、第１シャフト２の材料として、ポリエチレン系樹脂、ポリプロピレン系樹脂、ポリウレタン系樹脂、ポリイミド系樹脂などの合成樹脂材料が用いられてもよい。合成樹脂材料に添加剤が混合されてもよい。 
【００１６】
＜バルーン５＞
バルーン５は、第１シャフト２の第１先端部２Ｂに設けられる。バルーン５は、内側の面である内面５１Ａで囲まれた空間を有する。以下、内面５１Ａで囲まれた空間を、「内腔５１１」という。バルーン５の基端側の端部は、第１シャフト２の第１先端部２Ｂに接続する。バルーン５は、内側に収縮した状態と、外側に膨張した状態とに変形可能である。バルーン５は、後述するハブから圧縮流体が供給された状態で膨張し、圧縮流体が供給されない状態で収縮する。図１では、膨張した状態のバルーン５が示されている。バルーン５は、ポリアミド系樹脂により形成される。以下、バルーン５の基端側の端部を、「バルーン基端部５Ａ」といい、先端側の端部を、「バルーン先端部５Ｂ」という。
【００１７】
上記において、バルーン５は、第１シャフト２の第１先端部２Ｂに、第１シャフト２と一体となって設けられていてもよい。即ち、バルーンは、第１シャフト２の先端側の端部の一部として形成されてもよい。バルーン５の材料は、ポリアミド系樹脂に限定されず、可撓性を有する他の材料に変更可能である。例えば、バルーン５の材料として、ポリエチレン系樹脂、ポリプロピレン系樹脂、ポリウレタン系樹脂、ポリイミド系樹脂、シリコンゴム、天然ゴムなどが用いられてもよい。
【００１８】
＜チューブ４＞
図１、図２に示すように、チューブ４は、管状の部材である。チューブ４は可撓性を有する。チューブ４の材料は、第１シャフト２の材料と同一である。チューブ４は延伸方向に延びる。チューブ４の内径は、延伸方向の全域に亘って略同一である。チューブ４の外径は、第１シャフト２の内径よりも小さい。チューブ４の基端側の端部は、第１シャフト２の周壁に連通する。第１シャフト２の周壁のうち、チューブ４の基端側の端部が連通する部分に、周壁穴４１が形成される。以下、チューブ４の基端側の端部を、「チューブ基端部４Ａ」という。なお、チューブ４の材料は第１シャフト２の材料と異なっていてもよい。また、チューブ４は複数の層を含んでもよい。
【００１９】
図１に示すように、チューブ４は、周壁穴４１から、第１シャフト２の内腔２１１を通って、第１シャフト２の第１先端部２Ｂ側に向けて延びる。チューブ４は、第１先端部２Ｂから先端側に向けて更に延びる。チューブ４は、バルーン５の内腔５１１を通って、バルーン先端部５Ｂに向けて延びる。チューブ４は、バルーン先端部５Ｂから先端側に向けて更に延びる。チューブ４の先端側の端部は、バルーン先端部５Ｂよりも先端側に配置される。以下、チューブ４の先端側の端部を、「チューブ先端部４Ｂ」という。チューブ４の外側の面である外面４２Ｂのうち、チューブ先端部４Ｂよりも僅かに基端側の部分に、バルーン先端部５Ｂが接続する。
【００２０】
上記において、チューブ４とバルーン５とは別の態様で接合してもよい。例えば、チューブ４のチューブ先端部４Ｂがバルーン５の先端側の周壁に挿通してもよい。
【００２１】
＜第２シャフト３＞
第２シャフト３は、可撓性を有する管状の部材である。第２シャフト３の材料は、ステンレス鋼である。第２シャフト３の剛性は、第１シャフト２の剛性よりも大きい。第２シャフト３は、延伸方向に延びる。第２シャフト３の外径は、第１シャフト２の内径よりも僅かに小さい。図２に示すように、第２シャフト３の内径は、チューブ４の内径よりも大きい。図１に示すように、第２シャフト３は、周壁の内側の面である内面３１Ａで囲まれた空間を有する。以下、内面３１Ａで囲まれた空間を、「内腔３１１」という。第２シャフト３の延伸方向の両端部のうち、基端側の開口端部を、「第２基端部３Ａ」といい、先端側の開口端部を、「第２開口先端部３Ｂ」という。
【００２２】
第２基端部３Ａには、図示しないハブが接続される。ハブは、第２シャフト３及び第１シャフト２を介して、バルーン５に圧縮流体を供給することができる。
【００２３】
第２開口先端部３Ｂは、延伸方向と直交する仮想的な平面（以下、「第１仮想平面Ｓ１」という。）に対して傾斜する別の仮想的な平面（以下、「第２仮想平面Ｓ２」という。）に沿って配置される。第１仮想平面Ｓ１と第２仮想平面Ｓ２とのなす角度の鋭角θ１は、好ましくは、８５度以上９０度未満の範囲内の値である。第２開口先端部３Ｂは、筒状の部材を第２仮想平面Ｓ２で切断した形状を有している。このため、第２開口先端部３Ｂのうち最も基端側の部分３１よりも基端側（矢印Ｄ２側）の部分の剛性よりも、先端側（矢印Ｄ１側）の部分の剛性の方が小さい。又、第２シャフト３の部分３１よりも先端側の部分の剛性は、部分３１から部分３２に近づくに従って小さくなる。以下、第２開口先端部３Ｂのうち、最も先端側の部分３２を、「第２先端部３２」ともいう。
【００２４】
上記において、第２シャフト３の材料は、ステンレス鋼に限定されず、他の材料に変更可能である。例えば、第２シャフト３の材料として、ＳＵＳ等の金属材料が用いられてもよい。
【００２５】
図１、図２に示すように、第２シャフト３の第２開口先端部３Ｂは、第１シャフト２の第１基端部２Ａから内腔２１１内に進入する。第２開口先端部３Ｂは、全域に亘って、第１シャフト２の第１基端部２Ａよりも先端側且つ第１先端部２Ｂよりも基端側、即ち、内腔２１１内に配置される。第２開口先端部３Ｂのうち最も基端側の部分３１の位置Ｐ１１は、第１シャフト２の周壁穴４１の第１基端部２Ａ側の端部（以下、「端部４１Ａ」という。）の位置Ｐ１２よりも、第１基端部２Ａ側に配置される。第２開口先端部３Ｂの第２先端部３２の位置Ｐ１３は、第１シャフト２の周壁穴４１の第１先端部２Ｂ側の端部（以下、「端部４１Ｂ」という。）の位置Ｐ１４よりも、第１先端部２Ｂ側に配置される。
【００２６】
＜第１シャフト２と第２シャフト３との接合＞
図３に示すように、第２シャフト３の周壁の外側の面である外面３１Ｂのうち、第２先端部３２よりも僅かに基端側の部分は、第１シャフト２の内面２１Ａに接着剤２２によって接合される。なお、上記のように、第２先端部３２の位置Ｐ１３は、周壁穴４１の端部４１Ｂの位置Ｐ１４よりも第１先端部２Ｂ（図１参照）側に配置される。接着剤２２が付着する部分、言い換えれば、第２先端部３２よりも僅かに基端側の部分も、位置Ｐ１４よりも第１先端部２Ｂ側に配置される。従って、第１シャフト２と第２シャフト３とは、位置Ｐ１４よりも第１先端部２Ｂ側で接着剤２２によって接合される。
【００２７】
接着剤２２による接合方法の具体例は、次の通りである。第１シャフト２のうち、第２シャフト３の第２先端部３２近傍が接合される部分に対応する位置に、小さな穴が設けられる。設けられた穴を介して、第１シャフト２の内腔２１１に接着剤２２が外部から注入される。注入された接着剤２２は、第１シャフト２の内面２１Ａと、第２シャフト３の第２先端部３２よりも僅かに基端側の部分とを接合する。
【００２８】
図１に示すように、第１シャフト２の第１基端部２Ａは、第２シャフト３の外面３１Ｂに接続される。即ち、第１シャフト２と第２シャフト３とは、第２シャフト３の第２先端部３２近傍と、第１シャフト２の第１基端部２Ａとの２箇所で接合される。
【００２９】
なお、第１シャフト２の内面２１Ａと、第２シャフト３の第２先端部３２近傍とを接着剤２２によって接合する方法は、上記の例に限定されず、別の方法で接合されてもよい。例えば、第１シャフト２の周壁の外側の面のうち、第２シャフト３の第２先端部３２近傍が接合される部分に、外部からレーザ光が照射されてもよい。第１シャフト２の内面２１Ａのうち、レーザ光が照射された位置に対応する部分が溶融してもよい。そして、第１シャフト２の内面２１Ａのうち溶融した部分が、第２シャフト３の第２先端部３２近傍と溶着することによって、双方が接合してもよい。
【００３０】
＜バルーンカテーテル１の使用態様＞
バルーンカテーテル１の使用態様の概要は、次の通りである。血管内に配置されたガイドワイヤに、バルーンカテーテル１のチューブ４がチューブ先端部４Ｂから通される。第２シャフト３が血管内に向けて押し込まれる。第２シャフト３が押し込まれることに応じた力が、第１シャフト２を介してバルーン５に作用する。バルーン５は、ガイドワイヤに沿って血管内を移動し、血管の狭窄した箇所に配置される。第２シャフト３の第２基端部３Ａに接続されたハブ（図示外）から、内腔３１１に圧縮流体が供給される。なお、第１シャフト２の第１基端部２Ａは、第２シャフト３の外面３１Ｂに接続されているので、圧縮流体は、第１シャフト２及び第２シャフト３の外部に流出しない。
【００３１】
供給された圧縮流体は、第２シャフト３から、第２開口先端部３Ｂを介して第１シャフト２の内腔２１１に流入する。圧縮流体は、更に、第１シャフト２から、第１先端部２Ｂを介してバルーン５の内腔５１１に流入する。バルーン５に流入した圧縮流体は、バルーン５を膨張させる。これによって、血管の狭窄した箇所が拡張される。
【００３２】
＜本実施形態の主たる作用、効果＞
以上説明したように、バルーンカテーテル１において、第１シャフト２の内面２１Ａのうち、周壁穴４１よりも第１先端部２Ｂ側に、第２シャフト３が接合される。このため、バルーンカテーテル１は、ガイドワイヤに沿ってバルーン５を血管の狭窄した部分に配置させるために第２シャフト３が血管内に押し込まれたときの力を、第１シャフト２の第１先端部２Ｂ側の部分に適切に伝達させることができる。このため、バルーン５が血管内を移動する場合において、移動方向と反対方向の力がバルーン５に作用した場合でも、第１シャフト２の第１先端部２Ｂ側の部分に移動方向の力を作用させることによって、第１シャフト２が歪むことを抑制できる。従って、バルーンカテーテル１は、血管内の狭窄した位置までバルーン５を適切に移動させることが可能となる。
【００３３】
バルーンカテーテル１において、第２シャフト３のうち第２先端部３２よりも僅かに基端側の部分は、第１シャフト２の内面２１Ａのうち、周壁穴４１の第１先端部２Ｂ側の端部４１Ｂよりも第１先端部２Ｂ側に、接着剤２２によって接合される。このため、バルーンカテーテル１は、第１シャフト２のうちバルーン５により近い位置に、第２シャフト３が血管内に押し込まれたときの力を伝達させることができる。従って、バルーンカテーテル１は、血管内をバルーン５が移動した場合に第１シャフト２が歪むことを、更に適切に抑制できる。又、バルーンカテーテル１において、第２シャフト３の第２先端部３２の近傍の位置が、第１シャフト２の内面２１Ａに接着剤２２によって接合される。この場合、バルーンカテーテル１は、第２シャフト３のうちよりバルーン５に近い部分を介して、第２シャフト３が血管内に押し込まれたときの力を第１シャフト２に伝達できる。
【００３４】
バルーンカテーテル１において、第２シャフト３における周壁穴４１よりも第１先端部２Ｂ側の部分のうち、第２先端部３２よりも僅かに基端側の部分のみが、接着剤２２によって第１シャフト２の内面２１Ａと接合する。この場合、第１シャフト２と第２シャフト３との接合領域を最小限に抑制できるので、バルーンカテーテル１を容易に作製できる。
【００３５】
第２シャフト３は第１シャフト２に比べて剛性が大きいので、バルーンカテーテル１の延伸方向の剛性の変化は、第１シャフト２と第２シャフト３との境界部分で大きくなる。なお、剛性の変化が大きい部分は、第２シャフト３が血管内に押し込まれたときに歪みやすい。これに対し、第２シャフト３の延伸方向の剛性は、第２開口先端部３Ｂのうち最も基端側の部分３１よりも第２先端部３２側の部分で、第２先端部３２に近づくに従って小さくなる。これによって、バルーンカテーテル１の延伸方向の急激な剛性変化を軽減できる。従って、バルーンカテーテル１は、バルーン５が血管内を移動する場合において、移動方向と反対方向の力がバルーン５に作用した場合に、延伸方向の剛性の変化部分で歪むことを抑制できる。
【００３６】
＜変形例＞
本発明は上記実施形態に限定されず、種々の変更が可能である。上記実施形態において、第２シャフト３の外面３１Ｂのうち、第２先端部３２よりも僅かに基端側の部分が、第１シャフト２の内面２１Ａに接着剤２２によって接合された。これに対し、第２シャフト３の外面３１Ｂのうち、第２先端部３２を含む部分が、第１シャフト２の内面２１Ａに接着剤２２によって接合されてもよい。言い換えれば、第２シャフト３の第２先端部３２が、第１シャフト２の内面２１Ａに接合されてもよい。
【００３７】
バルーンカテーテル１の第２シャフト３の第２開口先端部３Ｂが配置される第２仮想平面Ｓ２と第１仮想平面Ｓ１とのなす角度の鋭角θ１は、８５度以上９０度未満の範囲内に限定されず、他の角度であってもよい。例えば、第２仮想平面Ｓ２と第１仮想平面Ｓ１とのなす角度の鋭角θ１は０度であってもよい。即ち、第２シャフト３の第２開口先端部３Ｂは、筒状の部材を第１仮想平面Ｓ１で切断した形状を有してもよい。又、このような形状である場合において、第２シャフト３の第２開口先端部３Ｂから基端側に向けて延びる少なくとも１つの溝が、第２シャフト３の周壁に設けられてもよい。また、この溝の幅は、先端側から基端側に向けて徐々に大きくなってもよい。この場合の第２シャフト３の剛性は、上記実施形態と同様、第２先端部３２に向かうに従って小さくなる。
【００３８】
図４、図５を参照し、変形例におけるバルーンカテーテル１Ａ（図４参照）、１Ｂ（図５参照）について説明する。バルーンカテーテル１Ａ、１Ｂは、第１シャフト２の内面２１Ａと、第２シャフト３の外面３１Ｂとの接合領域が、バルーンカテーテル１と異なる。図４に示すように、第１変形例におけるバルーンカテーテル１Ａにおいて、第１シャフト２と第２シャフト３とは、接着剤２２Ａによって接合される。接着剤２２Ａの付着する領域は、図３において接着剤２２が付着する領域と比べて、基端側に長い。この場合、バルーンカテーテル１Ａは、バルーンカテーテル１と比べて、第１シャフト２と第２シャフト３とを強固に接合できる。
【００３９】
なお、バルーンカテーテル１Ａにおいて、接着剤２２Ａの付着する領域は、図４の場合よりも更に基端側に長くてもよい。例えば、接着剤２２Ａは、第２シャフト３の外面３１Ｂのうち、周壁穴４１の端部４１Ｂの位置Ｐ１４よりも基端側まで付着してもよい。更に、例えば、接着剤２２Ａは、第２シャフト３の外面３１Ｂのうち、周壁穴４１の端部４１Ａの位置Ｐ１２よりも基端側まで付着してもよい。更に、例えば、接着剤２２Ａは、第２シャフト３の外面３１Ｂのうち、第１シャフト２の第１基端部２Ａまで付着してもよい。即ち、第１シャフト２と第２シャフト３とは、延伸方向に重なる部分の全域に亘って接合してもよい。
【００４０】
又、バルーンカテーテル１Ａにおいて、接着剤２２Ａの付着する領域は、図４の場合よりも先端側に長くてもよい。例えば、接着剤２２Ａは、第２シャフト３の外面３１Ｂのうち、第２先端部３２まで付着してもよい。
【００４１】
図５に示すように、第２変形例におけるバルーンカテーテル１Ｂにおいて、第１シャフト２と第２シャフト３とは、接着剤２２Ｂ、２２Ｃによって接合される。接着剤２２Ｂの付着する領域は、図３において接着剤２２が付着する領域よりも先端側である。具体的には、接着剤２２Ｂの付着する領域は、第２先端部３２を含む領域である。一方、接着剤２２Ｃは、接着剤２２Ｂに対して基端側に所定距離離隔した領域に付着される。つまり、第１シャフト２と第２シャフト３とは、周壁穴４１よりも第１基端部２Ａ（図１参照）側の部分において、２箇所で接合されることになる。この場合、バルーンカテーテル１Ｂは、バルーンカテーテル１（図１参照）と比べて、第１シャフト２と第２シャフト３とを強固に接合できる。又、バルーンカテーテル１Ａ（図４参照）と比べて、接着剤によって接着される領域を抑制できるので、バルーンカテーテル１Ｂを容易に作製できる。
【００４２】
なお、バルーンカテーテル１Ｂにおいて、接着剤２２Ｃの付着する領域は、図５の場合よりも更に基端側であってもよい。例えば、接着剤２２Ｃは、第２シャフト３の外面３１Ｂのうち、周壁穴４１の端部４１Ｂの位置Ｐ１４よりも基端側に付着してもよい。更に、例えば、接着剤２２Ｃは、第２シャフト３の外面３１Ｂのうち、周壁穴４１の端部４１Ａの位置Ｐ１２よりも基端側に付着してもよい。又、バルーンカテーテル１Ｂにおいて、接着剤２２Ｂの付着する領域は、図５の場合よりも基端側であってもよい。例えば、接着剤２２Ｂは、図３において接着剤２２が付着する領域と同一の位置でもよい。
【００４３】
又、図５において、周壁穴４１よりも第１先端部２Ｂ（図１参照）側の部分における、第１シャフト２と第２シャフト３との接合箇所は、２箇所に限定されず、３箇所以上であってもよい。又、第１シャフト２と第２シャフト３とが、接着剤２２Ｃのみによって接合してもよい。つまり、第２シャフト３は、第２先端部３２を除く部分で第１シャフト２と接合してもよい。
【００４４】
図６を参照し、第３変形例におけるバルーンカテーテル１Ｃについて説明する。バルーンカテーテル１Ｃは、第２シャフト３の第２開口先端部３Ｂの形状が、バルーンカテーテル１、１Ａ、１Ｂと異なる。図６に示すように、第２開口先端部３Ｂのうち、最も基端側の部分３１の位置Ｐ２１の延伸方向の位置は、第１シャフト２の第１基端部２Ａと略同一である。第２開口先端部３Ｂの第２先端部３２の位置Ｐ２３は、第１シャフト２の第１先端部２Ｂの僅かに基端側に配置される。このため、第２開口先端部３Ｂが配置される仮想的な平面を、第３仮想平面Ｓ３と定義した場合、第１仮想平面Ｓ１と第３仮想平面Ｓ３とのなす角度の鋭角θ２は、第１仮想平面Ｓ１と第２仮想平面Ｓ２とのなす角度の鋭角θ１（図１参照）よりも大きくなる。第２シャフト３の延伸方向の剛性は、部分３１から第２先端部３２に近づくに従って小さくなる。第２シャフト３の外面３１Ｂのうち、第２先端部３２よりも僅かに基端側の部分は、バルーンカテーテル１（図１参照）、１Ａ（図４参照）、１Ｂ（図５参照）と同様、第１シャフト２の内面２１Ａに接着剤によって接合される。なお、バルーンカテーテル１Ｃにおいて、接着剤２２の付着する領域は、図６の場合よりも先端側であってもよい。例えば、第１シャフト２内面２１Ａのうち第１先端部２Ｂを含む部分と、第２シャフト３の外面３１Ｂのうち第２先端部３２を含む部分とが接合してもよい。
【００４５】
上記のバルーンカテーテル１Ｃでは、バルーンカテーテル１、１Ａ、１Ｂと比べて、第１シャフト２のうちよりバルーン５に近い位置で、第１シャフト２と第２シャフト３とが接合する。このため、バルーン５が血管内を移動する場合に第１シャフト２が歪むことを更に適切に抑制できる。又、バルーンカテーテル１Ｃでは、バルーンカテーテル１、１Ａ、１Ｂと比べて、延伸方向の急激な剛性変化を更に軽減できる。従って、バルーンカテーテル１Ｃは、バルーン５が血管内を移動する場合において、剛性の変化部分で歪むことを更に適切に抑制できる。
【符号の説明】
【００４６】
１、１Ａ、１Ｂ、１Ｃ      ：バルーンカテーテル
２        ：第１シャフト
２Ａ      ：第１基端部
２Ｂ      ：第１先端部
３        ：第２シャフト
３Ａ      ：第２基端部
３Ｂ      ：第２開口先端部
４        ：チューブ
４Ａ      ：チューブ基端部
４Ｂ      ：チューブ先端部
５        ：バルーン
３２      ：第２先端部
４１      ：周壁穴
４１Ａ、４１Ｂ    ：端部
【図１】
0006671867.tif 000002
【図２】
0006671867.tif 000003
【図３】
0006671867.tif 000004
【図４】
0006671867.tif 000005
【図５】
0006671867.tif 000006
【図６】
0006671867.tif 000007